(57)【特許請求の範囲】
【請求項１】
外周に環状のスプリングが収容されたケージを備えた第１配管の一端開口部を、第２配管に連結するまで閉鎖しておくための配管用キャップにおいて、
有底筒状で、開口縁に、前記第１配管の外周に設けたインジケータリングに当接する鍔部を有し、内面に、前記第１配管への取付時、該第１配管の開口端に当接して前記インジケータリングが所定位置よりも押し込まれることを防止する突起を形成したことを特徴とする配管用キャップ。
【請求項２】
前記突起は、底面中央部の成形時の押出ピン用の突部よりも突出すると共に、該突部の周囲に均等に配置される複数のリブで構成したことを特徴とする請求項１に記載の配管用キャップ。
【発明の詳細な説明】
【０００１】
【発明の属する技術分野】
本発明は、配管用キャップに関するものである。
【０００２】
【従来の技術】
近年、エアコンでは、配管内にゴミ等が侵入しないように、配管には連結を行う直前までキャップを装着している。
【０００３】
そして、配管の連結構造として、例えば、特開昭５２−１２８１６号公報に開示されるものが公知である。この連結構造は、一方の配管の外周に環状のスプリングが収容されたケージを形成し、このケージ内に他方の配管が挿入されることにより、この配管の先端部分にスプリングが係止するようになっている。
【０００４】
【発明が解決しようとする課題】
ところで、前記連結構造では、配管の連結が確実に行われたか否かを判断できるように、ケージにインジケータリングを設けることも考えられる。インジケータリングは、環状リングから複数本の弾性係止部を延設した構成である。インジケータリングは、弾性係止部の先端に形成した爪部がケージの内縁部に係止することにより取り付けられている。そして、配管同士を連結することにより、一方の配管の拡開部がスプリングに係止すると、このスプリングの移動によりインジケータリングが押され、前記爪部と前記ケージの内縁部との係止状態が解除されることにより、配管の連結状態を検出可能である。
【０００５】
しかしながら、部品の組立誤差等により、インジケータリングの鍔部とケージの開口端との間に隙間ができ、配管にキャップを装着すると、このキャップにインジケータリングが押され、弾性係止部がスプリングに圧接した状態に維持され、塑性変形により配管連結前にケージから脱落し、連結状態の確認に使用できなくなるという問題がある。
【０００６】
そこで、本発明は、インジケータリングを有する構成であっても、配管連結前の適切な装着状態を得ることができる配管用キャップを提供することを課題とする。
【０００７】
【課題を解決するための手段】
本発明は、前記課題を解決するための手段として、外周に環状のスプリングが収容されたケージを備えた第１配管の一端開口部を、第２配管に連結するまで閉鎖しておくための配管用キャップにおいて、
有底筒状で、開口縁に、前記第１配管の外周に設けたインジケータリングに当接する鍔部を有し、内面に、前記第１配管への取付時、該第１配管の開口端に当接して前記インジケータリングが所定位置よりも押し込まれることを防止する突起を形成したものである。
【０００８】
この構成により、配管連結前に配管の一端開口部を閉鎖する際、内面に形成した突起が第１配管の開口端に当接するので、インジケータリングが必要以上に押し込まれることにより、その機能を十分に発揮できなくなることを防止することができる。
【０００９】
前記突起は、底面中央部の成形時の押出ピン用の突部よりも突出すると共に、該突部の周囲に均等に配置される複数のリブで構成するのが好ましい。
【００１０】
【発明の実施の形態】
以下、本発明に係る実施形態を添付図面に従って説明する。
【００１１】
図１は、第１配管１と、この第１配管１に装着される配管用キャップ２とを示す。第１配管１の一端開口部には第２配管２１（図４及び図５参照）が連結される。
【００１２】
第１配管１は、図１に示すように、一端開口部の近傍に環状溝部３が並設され、それぞれＯリング４が配置されることによりシール部５が構成されている。シール部５の近傍外周には、断面略Ｕ字形のケージ６が、その一方の内縁部６ａを第１配管１に接合された状態で取り付けられている。ケージ６内には、環状のスプリング７が収容され、他方の内縁部６ｂと第１配管１の外周面との間には隙間ｄが形成されている。第１配管１の一端外面にはインジケータリング８が配設されている。インジケータリング８はリング部９から複数本の弾性係止部１０を延設したもので、弾性係止部１０の先端の爪部１１が前記隙間ｄを介してケージ６の内縁部６ｂに係脱する。インジケータリング８は、第１配管１に第２配管２１を連結した際、ケージ６から脱落する。これにより、配管１，２１の連結が適切に行われたか否かを判定することが可能である。
【００１３】
配管用キャップ２は、図１及び図２に示すように、ポリエチレン、ポリプロピレン等を射出成形により有底筒状としたものである。開口端には鍔部１２が形成されている。内周面には、開口端から所定寸法の範囲で、装着する第１配管１の外径寸法よりも若干大きな逃がし部１３が形成されている。この逃がし部１３から底面側には、徐々に内径が小さくなる傾斜部１４と、この傾斜部１４に連続する圧入部１５とが形成されている。傾斜部１４は第１配管１を圧入部１５にスムーズに導く役割を果たす。底面中央部には、射出成形後に金型キャビティから取り出すための押出ピン（図示せず）が当接する突部１６が形成されている。突部１６の周囲には４箇所等分にリブ１７が形成されている。リブ１７は、前記突部１６よりも突出し、配管用キャップ２を第１配管１に装着した際、第１配管１の開口端に当接し、鍔部１２を正確に位置決めできるように鍔部１２の端面からの寸法が決められている。内周面の対称な位置２箇所には溝部１８が形成されている。溝部１８は第１配管１を圧入部１５に圧入する際、配管用キャップ２自体を弾性変形可能とするために設けられている。外周面には所定ピッチで複数の環状突部１９が形成され、底面部は環状突部１９よりも突出した環状段部２０となっている。これらは、第１配管１から配管用キャップ２の取り外しを容易に行うために設けたものである。
【００１４】
なお、第２配管２１は、開口端に環状に広げられた拡開部２２を形成されている。
【００１５】
前記構成の配管用キャップ２によれば、図３に示すように、配管連結前に第１配管１の一端開口部に装着して閉鎖しておくことができる。そして、リブ１７が第１配管１の開口端に当接することにより、第１配管１の開口端から正確に鍔部１２を位置決め可能である。このため、鍔部１２がインジケータリング８のリング部９に当接しても、インジケータリング８を必要以上にケージ６内に押し込むことがない。したがって、インジケータリング８の弾性係止部１０が変形した状態に維持されることがなく、図４に示すように、第１配管１から配管用キャップ２を取り外して第２配管２１を連結することにより、第２配管２１の拡開部２２がスプリング７に係止すれば、図５に示すように、スプリング７が移動し、インジケータリング８の爪部１１がケージ６の内縁部６ｂから脱落するので、配管の連結が適切になされたか否かを確実に判定することができる。
【００１６】
【発明の効果】
以上の説明から明らかなように、本発明によれば、インジケータリングに当接する鍔部と、第１配管の開口端に当接して前記インジケータリングが所定位置よりも押し込まれることを防止する突起とを設けたので、配管連結前に配管内にゴミ等の侵入を防止しつつ、インジケータリングが所定の機能を発揮できなくなることを阻止することができる。
【図面の簡単な説明】
【図１】本実施形態に係る配管用キャップと第１配管を示す正面部分断面図である。
【図２】図１の配管用キャップの側面図である。
【図３】第１配管に配管用キャップを装着した状態を示す正面部分断面図である。
【図４】第１配管に第２配管を連結する前の状態を示す正面部分断面図である。
【図５】第１配管に第２配管を連結した状態を示す正面部分断面図である。
【符号の説明】
１…第１配管
２…配管用キャップ
３…環状溝部
６…ケージ
７…スプリング
８…インジケータリング
９…リング部
１０…弾性係止部
１１…爪部
１２…鍔部
１５…圧入部
１６…突部
１７…リブ（突起）
２１…第２配管
【図１】
0003604363.tif 000002
【図２】
0003604363.tif 000003
【図３】
0003604363.tif 000004
【図４】
0003604363.tif 000005
【図５】
0003604363.tif 000006